(57)【要約】      （修正有）【課題】流路板とノズル板を接着する際に、余剰接着剤の溢れを確実に低減することができる液体吐出ヘッドの提供。【解決手段】流路板には、個別液室６、流体抵抗部７及び液導入部８で構成される個別流路５が形成され、隣り合う流体抵抗部７、７の間の隔壁部４０に接着剤逃がし部４１が形成され、接着剤逃がし部４１は、流体抵抗部７よりも上流側である液導入部８に通じていて、流路板とノズル板とを接着剤接合するとき、および流路板と振動板部材とを接着剤接合するときに余剰接着剤は個別流路５を通じて大気に開放された接着剤逃がし部４１に容易に逃げることができる。【選択図】図４
2014162083.tif 000002
【特許請求の範囲】
【請求項１】
液滴を吐出する複数のノズルが形成されたノズル板と、
前記複数のノズルがそれぞれ通じる複数の個別液室及び各個別液室に液体を供給する前記個別液室よりも幅の狭い流体抵抗部を含む個別流路が形成された流路板と、
前記個別流路の少なくとも一部の壁面を形成する壁面部材と、を備え、
前記流路板は、前記ノズル板及び前記壁面部材の少なくともいずれか一方と接着剤で接合され、
前記流路板には、隣り合う前記流体抵抗部の間の隔壁部に接着剤逃がし部が形成され、
前記接着剤逃がし部は、前記流体抵抗部よりも上流側で前記個別流路に通じている
ことを特徴とする液体吐出ヘッド。
【請求項２】
液滴を吐出する複数のノズルが形成されたノズル板と、
前記複数のノズルがそれぞれ通じる複数の個別液室及び各個別液室に液体を供給する前記個別液室よりも幅の狭い流体抵抗部を含む個別流路が形成された流路板と、
前記流路板の１又は２以上の前記個別流路に通じる液導入部が形成された壁面部材と、を備え、
前記流路板と前記壁面部材とは接着剤で接合され、
前記壁面部材には、平面視で、隣り合う前記流体抵抗部の間に接着剤逃がし部が形成され、
前記接着剤逃がし部は、前記液導入部に通じている
ことを特徴とする液体吐出ヘッド。
【請求項３】
前記個別流路の前記流体抵抗部は、ノズル配列方向で、交互に異なる方向に偏って配置されていることを特徴とする請求項１に記載の液体吐出ヘッド。
【請求項４】
前記接着剤逃がし部を有する前記個別流路と、前記接着剤逃がし部を有しない前記個別流路とを備えていることを特徴とする請求項３に記載の液体吐出ヘッド。
【請求項５】
前記接着剤逃がし部を有する前記個別流路と、前記接着剤逃がし部を有しない前記個別流路とが、ノズル配列方向で、交互に配置されていることを特徴とする請求項４に記載の液体吐出ヘッド。
【請求項６】
前記接着剤逃がし部のノズル配列方向の幅は、前記流体抵抗部のノズル配列方向の幅よりも狭いことを特徴とする請求項１ないし５のいずれかに記載の液体吐出ヘッド。
【請求項７】
前記流路板はプレス加工で形成されていることを特徴とする請求項１ないし６のいずれかに記載の液体吐出ヘッド。
【請求項８】
請求項１ないし７のいずれかに記載の液体吐出ヘッドを備えていることを特徴とする画像形成装置。
【発明の詳細な説明】
【技術分野】
【０００１】
本発明は液体吐出ヘッド、画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）からなる記録ヘッドを用いた液体吐出記録方式の画像形成装置としてインクジェット記録装置などが知られている。
【０００３】
液体吐出ヘッドは、例えば、ノズルを形成したノズル板と、ノズルが通じる個別液室や個別液室に液体を供給する流体抵抗部などの個別流路を形成する流路板と、個別液室の壁面を形成する振動板部材などの壁面部材とを接着剤接合して構成するものが知られている。
【０００４】
この場合、接着剤の溢れによって流路が塞がれることを防止する必要がある。
【０００５】
そこで、従来、流路基板において、圧力室の列設方向の両側に液滴の吐出に関与しないダミー圧力室を配設し、液体流路よりも外側の領域にはノズル基板と流路基板とを接合する際の余剰な接着剤を導入する逃げ溝部を設け、ノズル基板に、大気と連通する大気連通路を形成すると共に、大気連通路とダミー圧力室とを連通する第１連通溝、及び、大気連通路と逃げ溝部とを連通する第２連通溝を形成し、第１連通溝及び大気連通路を通じてダミー圧力室を大気開放すると共に、第２連通溝及び大気連通路を通じて逃げ溝部を大気開放したものが知られている（特許文献１）。
【先行技術文献】
【特許文献】
【０００６】
【特許文献１】特開２００７−３２０１７１号公報
【発明の概要】
【発明が解決しようとする課題】
【０００７】
しかしながら、特許文献１に開示されているように、接着剤の逃げ部を大気に通じさせるための通路を別途設けるのでは、構成が複雑になり、また、液体流路よりも外側の領域に逃げ溝部を設けるだけでは、十分に余剰接着剤を逃がすことができないという課題がある。
【０００８】
本発明は上記の課題に鑑みてなされたものであり、余剰接着剤の溢れを確実に低減することを目的とする。
【課題を解決するための手段】
【０００９】
上記の課題を解決するため、請求項１の本発明に係る液体吐出ヘッドは、
液滴を吐出する複数のノズルが形成されたノズル板と、
前記複数のノズルがそれぞれ通じる複数の個別液室及び各個別液室に液体を供給する前記個別液室よりも幅の狭い流体抵抗部を含む個別流路が形成された流路板と、
前記個別流路の少なくとも一部の壁面を形成する壁面部材と、を備え、
前記流路板は、前記ノズル板及び前記壁面部材の少なくともいずれか一方と接着剤で接合され、
前記流路板には、隣り合う前記流体抵抗部の間の隔壁部に接着剤逃がし部が形成され、
前記接着剤逃がし部は、前記流体抵抗部よりも上流側で前記個別流路に通じている
構成とした。
【発明の効果】
【００１０】
本発明によれば、余剰接着剤の溢れを確実に低減することができる。
【図面の簡単な説明】
【００１１】
【図１】本発明に係る液体吐出ヘッドの一例の説明に供する外観斜視説明図である。
【図２】図１のＡ―Ａ線に沿うノズル配列方向と直交する方向（液室長手方向）の断面説明図である。
【図３】図１のＢ−Ｂ線に沿うノズル配列方向（液室短手方向）の断面説明図である。
【図４】本発明の第１実施形態おける流路板の平面説明図である。
【図５】比較例における流路板の平面説明図である。
【図６】本発明の第２実施形態における流路板の平面説明図である。
【図７】同実施形態の作用説明に供する流路板の平面説明図である。
【図８】本発明の第３実施形態における流路板の平面説明図である。
【図９】本発明の第４実施形態における流路板の平面説明図である。
【図１０】（ａ）は図９のＣ−Ｃ線に沿う断面説明図、（ｂ）は図９のＤ−Ｄ線に沿う断面説明図である。
【図１１】（ａ）は第１流路板の平面説明図、（ｂ）は第２流路板の平面説明図である。
【図１２】本発明に係る画像形成装置の一例の説明に供する機構部の側面説明図である。
【図１３】同機構部の要部平面説明図である。
【発明を実施するための形態】
【００１２】
以下、本発明の実施形態について添付図面を参照して説明する。本発明に係る液体吐出ヘッドの一例について図１ないし図３を参照して説明する。図１は同ヘッドの外観斜視説明図、図２は図１のＡ―Ａ線に沿うノズル配列方向と直交する方向（液室長手方向）の断面説明図、図３は図１のＢ−Ｂ線に沿うノズル配列方向（液室短手方向）の断面説明図である。
【００１３】
この液体吐出ヘッドは、ノズル板１と、流路板（液室基板）２と、薄膜部材としての振動板部材３とを積層接合している。そして、振動板部材３を変位させる圧電アクチュエータ１１と、共通流路部材としてフレーム部材２０とを備えている。
【００１４】
ノズル板１、流路板２及び振動板部材３によって、液滴を吐出する複数のノズル４に連なって通じる個別液室（加圧液室、圧力室、加圧室、流路などとも称される。）６、個別液室６に液体を供給する流体抵抗部７と、流体抵抗部７に連なる液導入部８とを形成している。ここでは、個別液室６、流体抵抗部７及び液導入部８で個別流路５を構成している。
【００１５】
そして、フレーム部材２０の共通流路としての共通液室１０から振動板部材３に形成したフィルタ部９を通じて、液導入部８、流体抵抗部７を経て複数の個別液室６に液体を供給する。
【００１６】
ここで、ノズル板１は、ニッケル（Ｎｉ）の金属プレートから形成したもので、エレクトロフォーミング法（電鋳）で製造したものを用いている。これに限らず、その他の金属部材、樹脂部材、樹脂層と金属層の積層部材などを用いることができる。ノズル板１には、各液室６に対応して例えば直径１０〜３５μｍのノズル４を形成し、流路板２と接着剤接合している。また、このノズル板１の液滴吐出側面（吐出方向の表面：吐出面、又は液室６側と反対の面）には撥水層を設けている。
【００１７】
流路板２は、例えばＳＵＳ基板などの金属板にプレス加工を行って個別流路５などとなる溝部を形成している。なお、金属板を酸性エッチング液でエッチングして形成することもできるし、あるいは、シリコン基板をエッチングして形成することもできる。
【００１８】
振動板部材３は、流路板２の個別液室６の一部の壁面を形成する壁面部材を兼ね、個別液室６に対応する部分に変形可能な振動領域３０を有している。この振動板部材３も、ニッケル（Ｎｉ）の金属プレートから形成したもので、エレクトロフォーミング法（電鋳）で製造したものを用いている。これに限らず、その他の金属部材、樹脂部材、樹脂層と金属層の積層部材などを用いることができる。
【００１９】
そして、この振動板部材３の個別液室６とは反対側に、振動板部材３の振動領域３０を変形させる駆動手段（アクチュエータ手段、圧力発生手段）としての電気機械変換素子を含む圧電アクチュエータ１１を配置している。
【００２０】
この圧電アクチュエータ１１は、ベース部材１３上に接着剤接合した複数の積層型圧電部材１２を有し、圧電部材１２にはハーフカットダイシングによって溝加工して１つの圧電部材１２に対して所要数の圧電柱１２Ａ、１２Ｂを所定の間隔で櫛歯状に形成している。
【００２１】
圧電部材１２の圧電柱１２Ａ、１２Ｂは、同じものであるが、駆動波形を与えて駆動させる圧電柱を駆動圧電柱（駆動柱）１２Ａ、駆動波形を与えないで単なる支柱として使用する圧電柱を非駆動圧電柱（非駆動柱）１２Ｂとして区別している。
【００２２】
そして、駆動柱１２Ａを振動板部材３の振動領域３０に形成した島状の凸部３０ａに接合している。また、非駆動柱１２Ｂを振動板部材３の凸部３０ｂに接合している。
【００２３】
この圧電部材１２は、圧電層と内部電極とを交互に積層したものであり、内部電極がそれぞれ端面に引き出されて外部電極が設けられ、駆動柱１２Ａの外部電極に駆動信号を与えるための可撓性を有するフレキシブル配線基板としてのＦＰＣ１５が接続されている。
【００２４】
フレーム部材２０は、例えばエポキシ系樹脂或いは熱可塑性樹脂であるポリフェニレンサルファイト等で射出成形により形成し、図示しないヘッドタンクや液体カートリッジから液体が供給される共通液室１０が形成されている。
【００２５】
このように構成した液体吐出ヘッドにおいては、例えば駆動柱１２Ａに印加する電圧を基準電位から下げることによって駆動柱１２Ａが収縮し、振動板部材３の振動領域３０が下降して個別液室６の容積が膨張することで、個別液室６内に液体が流入する。
【００２６】
その後、駆動柱１２Ａに印加する電圧を上げて駆動柱１２Ａを積層方向に伸長させ、振動板部材３の振動領域３０をノズル４方向に変形させて個別液室６の容積を収縮させることにより、個別液室６内の液体が加圧され、ノズル４から液滴が吐出（噴射）される。
【００２７】
そして、駆動柱１２Ａに印加する電圧を基準電位に戻すことによって振動板部材３の振動領域３０が初期位置に復元し、個別液室６が膨張して負圧が発生するので、このとき、共通液室１０から液導入部８、流体抵抗部７を通じて個別液室６内に液体が充填される。そこで、ノズル４のメニスカス面の振動が減衰して安定した後、次の液滴吐出のための動作に移行する。
【００２８】
なお、このヘッドの駆動方法については上記の例（引き−押し打ち）に限るものではなく、駆動波形の与えた方によって引き打ちや押し打ちなどを行なうこともできる。
【００２９】
次に、本発明の第１実施形態について図４を参照して説明する。図４は同実施形態における流路板の平面説明図である。なお、図４では流路部分に面塗りを施して示している（以下、同じとする。）。
【００３０】
本実施形態では、各個別流路５の流体抵抗部７は、ノズル配列方向で同じ側に偏って配置されている。
【００３１】
そして、流路板２には、隣り合う流体抵抗部７、７の間の隔壁部（隔壁領域）４０に接着剤逃がし部４１が形成されている。接着剤逃がし部４１は、流体抵抗部７よりも上流側である液導入部８に通じている。
【００３２】
ここでは、個別流路５及び接着剤逃がし部４１はプレスによる打ち抜き加工で形成しているので、個別流路５及び接着剤逃がし部４１は流路板２を厚み方向に貫通している。
【００３３】
このように構成したので、流路板２とノズル板１とを接着剤接合するとき、余剰の接着剤は接着剤逃がし部４１内に逃げることができる。
【００３４】
この場合、流路板２に振動板部材３が接合された状態であっても、接着剤逃がし部４１は個別流路５からノズル板１のノズル４や振動板部材３の開口部（フィルタ部）９を通じて大気に開放された状態にある。したがって、余剰の接着剤の接着剤逃がし部４１への移動が阻害されず、確実に余剰接着剤を逃がすことができる。
【００３５】
また、流路板２と振動板部材３とを接着剤接合するとき、余剰の接着剤は接着剤逃がし部４１内に逃げることができる。
【００３６】
この場合、流路板２にノズル板１が接合された状態であっても、接着剤逃がし部４１は個別流路５からノズル板１のノズル４や振動板部材３の開口部（フィルタ部）９を通じて大気に開放された状態にある。したがって、余剰の接着剤の接着剤逃がし部４１への移動が阻害されず、確実に余剰接着剤を逃がすことができる。
【００３７】
また、プレス加工で個別流路５を形成する場合、接着剤逃がし部４１も個別流路５の液導入部８と一体に形成されているので、１つのパンチで同時に加工形成できる。これにより、流路板２に対して順次パンチングして個別流路５及び接着剤逃がし部４１を形成していくことができ、プレス加工の管理が容易になる。
【００３８】
ここで、図５に示す比較例について説明する。この比較例は、接着剤逃がし部４１を個別流路５から独立して形成したものである。
【００３９】
この比較例では、図５（ａ）に示すように、個別流路５を第１のパンチで順に送りながら打ち抜き（順送抜き）を行なって形成する。その後、引き続き、流路板２とパンチとの位置関係も元に戻し、図５（ｂ）に示すように、接着剤逃がし部４１を第２のパンチで順に送りながら打ち抜きを行って形成することになる。
【００４０】
そのため、２種類のパンチが必要であり、また、打ち抜き工程が２倍になり、更に個別流路５と接着剤逃がし部４１の間の位置精度の管理が煩雑になる不都合がある。
【００４１】
これに対して、本実施形態では、単一パンチで、１回の順送りによる打ち抜き工程で、個別流路５と接着剤逃がし部４１との間の位置関係を精度良く保って、個別流路５と接着剤逃がし部４１とを形成することができる。
【００４２】
さらに、接着剤逃がし部４１が個別流路５から独立しているため、例えば流路板２に振動板部材３が接合された状態で、ノズル板１を流路板２に接着剤接合すると、接着剤逃がし部４１内の空気により余剰の接着剤の接着剤逃がし部４１への移動が阻害されてしまうことになる。
【００４３】
次に、本発明の第２実施形態について図６を参照して説明する。図６は同実施形態における流路板の平面説明図である。
【００４４】
本実施形態では、個別流路５の流体抵抗部７は、ノズル配列方向で、交互に異なる方向に偏って配置されている。そして、流体抵抗部７の偏りが反対になる隣り合う２つの流体抵抗部７，７の隔壁部４０Ａ、４０Ｂであって、ノズル配列方向の幅が広くなる隔壁部４０Ａに、一方の個別流路５に通じ、他方の個別流路５に通じない接着剤逃がし部４１を形成している。
【００４５】
つまり、ここでは、接着剤逃がし部４１を有する個別流路５と、接着剤逃がし部４１を有しない個別流路５とを、接着剤逃がし部４１を有する個別流路５と、接着剤逃がし部４１を有しない個別流路５とが、ノズル配列方向で、交互に配置されている。
【００４６】
このように構成することで、隣り合う個別流路５、５のピッチが狭くなって各個別流路５に十分な接着剤逃がし部４１を確保できない場合でも、十分な接着剤逃がし部４１を形成する領域を確保することができる。
【００４７】
つまり、図７（ａ）に示すように、個別流路５の配列密度が高くなると配列ピッチが狭くなり、隣り合う個別流路５、５の流体抵抗部７、７間に、十分な接着剤逃がし部４１を形成できる領域を確保できなくなる。そこで、図７（ｂ）に示すように、個別流路５に対してノズル配列方向に流体抵抗部７を偏らせて設け、かつ、隣り合う個別流路５、５を流体抵抗部７，７が線対称になるように配置することで、十分な接着剤逃がし部４１を形成できる領域を確保している。
【００４８】
次に、本発明の第３実施形態について図８を参照して説明する。図８は同実施形態における流路板の平面説明図である。
【００４９】
本実施形態では、接着剤逃がし部４１のノズル配列方向の幅は、流体抵抗部７のノズル配列方向の幅よりも狭く形成している。
【００５０】
このように構成することで、接着剤逃がし部４１に毛細管現象が発生し易くなって、接着接合時にはみ出した余剰接着剤は接着剤逃がし部４１に逃げ易くなり、個別流路５へのはみだしが抑制される。
【００５１】
次に、本発明の第４実施形態について図９ないし図１１を参照して説明する。図９は同実施形態における流路板の平面説明図、図１０（ａ）は図９のＣ−Ｃ線に沿う断面説明図、（ｂ）は図９のＤ−Ｄ線に沿う断面説明図、図１１（ａ）は第１流路板の平面説明図、（ｂ）は第２流路板の平面説明図である。
【００５２】
本実施形態は、流路板２と壁面部材である発熱抵抗体基板１０３とを接着剤で接合したサーマル型ヘッドの例である。
【００５３】
ここで、流路板２には、前記各実施形態と同様に、個別液室６、流体抵抗部７及び液導入部８からなる個別流路５を形成している。
【００５４】
発熱抵抗体基板１０３には、平面視で、流路板２の隣り合う２つの液導入部８、８に通じる液導入部８８を形成している。この液導入部８８は、図示しない共通液室に通じている。
【００５５】
発熱抵抗体基板１０３の一方の面は、上述したように流路板２と接着剤により接合され、反対側の面には共通液室が形成された図示しない共通液室部材が接合される。そして、流路体２と接合される面側に、個別液室６内の液体を膜沸騰させるエネルギーを発生する図示しない発熱抵抗体が設けられている。
【００５６】
そして、発熱抵抗体基板１０３には、平面視で、隣り合う流体抵抗部７、７の間に接着剤逃がし部４１が形成され、接着剤逃がし部４１は液導入部８８に通じている。
【００５７】
このように構成したので、発熱抵抗体基板１０３に共通液室部材が接合された状態で、発熱抵抗体基板１０３に流路板２を接着剤接合する場合、接着剤逃がし部４１は液導入部８８と個別流路５通じて大気に開放された状態にある。したがって、余剰の接着剤の接着剤逃がし部４１への移動が阻害されず、確実に余剰接着剤を逃がすことができる。
【００５８】
次に、本発明に係る画像形成装置の一例について図１２及び図１３を参照して説明する。図１２は同装置の機構部の側面説明図、図１３は同機構部の要部平面説明図である。
【００５９】
この画像形成装置はシリアル型画像形成装置であり、左右の側板２２１Ａ、２２１Ｂに横架したガイド部材である主従のガイドロッド２３１、２３２でキャリッジ２３３を主走査方向に摺動自在に保持している。そして、図示しない主走査モータによってタイミングベルトを介して矢示方向（キャリッジ主走査方向）に移動走査する。
【００６０】
このキャリッジ２３３には、イエロー（Ｙ）、シアン（Ｃ）、マゼンタ（Ｍ）、ブラック（Ｋ）の各色のインク滴を吐出するための本発明に係る液体吐出ヘッドと同ヘッドに供給するインクを収容するタンクを一体化した記録ヘッド２３４を搭載している。記録ヘッド２３４は、複数のノズルからなるノズル列を主走査方向と直交する副走査方向に配列し、インク滴吐出方向を下方に向けて装着している。
【００６１】
記録ヘッド２３４は、それぞれ２つのノズル列を有する。そして、一方の記録ヘッド２３４ａの一方のノズル列はブラック（Ｋ）の液滴を、他方のノズル列はシアン（Ｃ）の液滴を吐出する。また、他方の記録ヘッド２３４ｂの一方のノズル列はマゼンタ（Ｍ）の液滴を、他方のノズル列はイエロー（Ｙ）の液滴を吐出する。なお、ここでは２ヘッド構成で４色の液滴を吐出する構成としているが、１ヘッド当たり４ノズル列配置とし、１個のヘッドで４色の各色を吐出させることもできる。
【００６２】
また、記録ヘッド２３４のタンク２３５には各色の供給チューブ２３６を介して、供給ユニットによって各色のインクカートリッジ２１０から各色のインクが補充供給される。
【００６３】
一方、給紙トレイ２０２の用紙積載部（圧板）２４１上に積載した用紙２４２を給紙するための給紙部として、用紙積載部２４１から用紙２４２を１枚ずつ分離給送する半月コロ（給紙コロ）２４３及び給紙コロ２４３に対向する分離パッド２４４を備えている。
【００６４】
そして、この給紙部から給紙された用紙２４２を記録ヘッド２３４の下方側に送り込むために、用紙２４２を案内するガイド２４５と、カウンタローラ２４６と、搬送ガイド部材２４７と、先端加圧コロ２４９を有する押さえ部材２４８とを備えている。さらに、給送された用紙２４２を静電吸着して記録ヘッド２３４に対向する位置で搬送するための搬送手段である搬送ベルト２５１を備えている。
【００６５】
この搬送ベルト２５１は、無端状ベルトであり、搬送ローラ２５２とテンションローラ２５３との間に掛け渡されて、ベルト搬送方向（副走査方向）に周回するように構成している。また、この搬送ベルト２５１の表面を帯電させるための帯電手段である帯電ローラ２５６を備えている。この帯電ローラ２５６は、搬送ベルト２５１の表層に接触し、搬送ベルト２５１の回動に従動して回転するように配置されている。この搬送ベルト２５１は、図示しない副走査モータによってタイミングを介して搬送ローラ２５２が回転駆動されることによってベルト搬送方向に周回移動する。
【００６６】
さらに、記録ヘッド２３４で記録された用紙２４２を排紙するための排紙部として、搬送ベルト２５１から用紙２４２を分離するための分離爪２６１と、排紙ローラ２６２及び排紙コロ２６３とを備え、排紙ローラ２６２の下方に排紙トレイ２０３を備えている。
【００６７】
また、装置本体の背面部には両面ユニット２７１が着脱自在に装着されている。この両面ユニット２７１は搬送ベルト２５１の逆方向回転で戻される用紙２４２を取り込んで反転させて、再度、カウンタローラ２４６と搬送ベルト２５１との間に給紙する。また、この両面ユニット２７１の上面は手差しトレイ２７２としている。
【００６８】
さらに、キャリッジ２３３の走査方向一方側の非印字領域には、記録ヘッド２３４のノズルの状態を維持し、回復するための維持回復機構２８１を配置している。
【００６９】
この維持回復機構２８１には、記録ヘッド２３４の各ノズル面をキャピングするための各キャップ部材（以下「キャップ」という。）２８２ａ、２８２ｂ（区別しないときは「キャップ２８２」という。）を備えている。また、維持回復機構２８１は、ノズル面をワイピングするためのブレード部材であるワイパーブレード２８３を備えている。また、維持回復機構は２８１は、増粘した記録液を排出するために記録に寄与しない液滴を吐出させる空吐出を行うときの液滴を受ける空吐出受け２８４などを備えている。
【００７０】
また、キャリッジ２３３の走査方向他方側の非印字領域には、記録中などに増粘した記録液を排出するために記録に寄与しない液滴を吐出させる空吐出を行うときの液滴を受ける空吐出受け２８８を配置している。この空吐出受け２８８には記録ヘッド２３４のノズル列方向に沿った開口部２８９などを備えている。
【００７１】
このように構成したこの画像形成装置においては、給紙トレイ２０２から用紙２４２が１枚ずつ分離給紙され、略鉛直上方に給紙された用紙２４２はガイド２４５で案内され、搬送ベルト２５１とカウンタローラ２４６との間に挟まれて搬送される。更に、用紙２４２は、先端を搬送ガイド２３７で案内されて先端加圧コロ２４９で搬送ベルト２５１に押し付けられ、略９０°搬送方向を転換される。
【００７２】
そして、帯電した搬送ベルト２５１上に用紙２４２が給送されると、用紙２４２が搬送ベルト２５１に吸着され、搬送ベルト２５１の周回移動によって用紙２４２が副走査方向に搬送される。
【００７３】
そこで、キャリッジ２３３を移動させながら画像信号に応じて記録ヘッド２３４を駆動することにより、停止している用紙２４２にインク滴を吐出して１行分を記録し、用紙２４２を所定量搬送後、次の行の記録を行う。記録終了信号又は用紙２４２の後端が記録領域に到達した信号を受けることにより、記録動作を終了して、用紙２４２を排紙トレイ２０３に排紙する。
【００７４】
このように、この画像形成装置では、本発明に係る液体吐出ヘッドを記録ヘッドとして備えるので、高画質画像を安定して形成することができる。
【００７５】
なお、本願において、「用紙」とは材質を紙に限定するものではなく、ＯＨＰ、布、ガラス、基板などを含み、インク滴、その他の液体などが付着可能なものの意味である。被記録媒体、記録媒体、記録紙、記録用紙などと称されるものを含む。また、画像形成、記録、印字、印写、印刷はいずれも同義語とする。
【００７６】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００７７】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００７８】
また、「画像」とは平面的なものに限らず、立体的に形成されたものに付与された画像、また立体自体を三次元的に造形して形成された像も含まれる。
【００７９】
また、画像形成装置には、特に限定しない限り、シリアル型画像形成装置及びライン型画像形成装置のいずれも含まれる。
【符号の説明】
【００８０】
１  ノズル板
２  流路板
２Ａ  第１流路板
２Ｂ  第２流路板
３  振動板部材
４  ノズル
５  個別流路
６  個別液室
７  流体抵抗部
８  液導入部
１０  共通液室
１２  圧電部材
２０  フレーム部材
４０  流体抵抗部間の隔壁部
４１  接着剤逃がし部
２３３  キャリッジ
２３４ａ、２３４ｂ  記録ヘッド
【図１】
2014162083.tif 000003
【図２】
2014162083.tif 000004
【図３】
2014162083.tif 000005
【図４】
2014162083.tif 000006
【図５】
2014162083.tif 000007
【図６】
2014162083.tif 000008
【図７】
2014162083.tif 000009
【図８】
2014162083.tif 000010
【図９】
2014162083.tif 000011
【図１０】
2014162083.tif 000012
【図１１】
2014162083.tif 000013
【図１２】
2014162083.tif 000014
【図１３】
2014162083.tif 000015